(57)【要約】【課題】  従来の技術による諸問題を解決するための電子装置を提供する。【解決手段】  電子装置１０は、第一側板２４に複数の孔１５が設けられるハウジング１２と、複数の孔１５の一側に設けられる透明防塵材１６と、ハウジング１２内とハウジング１２の第二側板２８に設けられるマザーボード１４と、ハウジング１２内とマザーボード１４に設けられてプログラムとデータを処理するプロセッサー１８と、ハウジング１２内とマザーボード１４に設けられてプログラムとデータを保存するメモリー２０とを含む。【選択図】  図１
2005079451.tif 000002
【特許請求の範囲】
【請求項１】
電子装置であって、該電子装置は、
第一側板に複数の孔が設けられるハウジングと、
複数の孔の一側に設けられる透明防塵材と、
ハウジング内とハウジングの第二側板に設けられるマザーボードと、
ハウジング内とマザーボードに設けられてプログラムとデータを処理するプロセッサーと、
ハウジング内とマザーボードに設けられてプログラムとデータを保存するメモリーとを含むことを特徴とする電子装置。
【請求項２】
前記透明防塵材がハウジングの裏側に設けられることを特徴とする請求項１記載の電子装置。
【請求項３】
前記透明防塵材がハウジングの外側に設けられることを特徴とする請求項１記載の電子装置。
【請求項４】
前記透明防塵材がガラス材質を含むことを特徴とする請求項１記載の電子装置。
【請求項５】
前記透明防塵材がプラスティック材質を含むことを特徴とする請求項１記載の電子装置。
【請求項６】
前記透明防塵材はハウジングと接着するように複数の孔の一側に設けられることを特徴とする請求項１記載の電子装置。
【請求項７】
前記透明防塵材はハウジングから着脱できるように複数の孔の一側に設けられることを特徴とする請求項１記載の電子装置。
【請求項８】
前記第一側板と第二側板が隣り合っていないことを特徴とする請求項１記載の電子装置。
【請求項９】
電子装置であって、該電子装置は、
第一側板に複数の孔が設けられるハウジングと、
複数の孔の一側に充填される透明防塵材と、
ハウジング内とハウジングの第二側板に設けられるマザーボードと、
ハウジング内とマザーボードに設けられてプログラムとデータを処理するプロセッサーと、
ハウジング内とマザーボードに設けられてプログラムとデータを保存するメモリーとを含むことを特徴とする電子装置。
【請求項１０】
前記透明防塵材がガラス材質を含むことを特徴とする請求項９記載の電子装置。
【請求項１１】
前記透明防塵材がプラスティック材質を含むことを特徴とする請求項９記載の電子装置。
【請求項１２】
前記透明防塵材はハウジングと接着するように複数の孔の一側に設けられることを特徴とする請求項９記載の電子装置。
【請求項１３】
前記透明防塵材はハウジングから着脱できるように複数の孔の一側に設けられることを特徴とする請求項９記載の電子装置。
【請求項１４】
前記第一側板と第二側板が隣り合っていないことを特徴とする請求項９記載の電子装置。
【発明の詳細な説明】
【技術分野】
【０００１】
この発明は電子装置に関し、特にコンピューターハウジングの外側から内部を見られる電子装置に関する。
【背景技術】
【０００２】
電子装置は中央処理装置（ＣＰＵ）、メモリー、インターフェイスカード、ハードディスクドライブ（ＨＤＤ）及びパワーサプライなどのモジュールからなり、これらのモジュールはハウジングに収納されてさまざまな電気的接続によって相互交信する。これらのモジュールと電気的接続の電子信号は相当に高い周波数をもち、例えばＣＰＵの周波数は１ギガヘルツに達し、よってコンピューターは多量の電磁放射を生じさせる。電磁放射はユーザーだけでなく周辺環境にも不利の影響、いわば電磁妨害をもたらすため、各国はそれを防止するように電磁妨害の基準を設けている。電磁妨害を防ぐため、コンピューターのハウジングは一般に金属材質で作られる。
【０００３】
なお、コンピューターのデータ処理速度の向上によって、電子装置の内部構造も日増しに複雑になりつつある。電子装置は一つだけの部品の欠陥により故障する恐れがある。もしユーザーが早期に問題を見つければ、不必要な時間かコスト上の損失は避けられる。例えば、プロセッサー放熱用のファンまたは水冷式放熱装置の故障により電子装置が作動できない場合、従来の電子装置は金属材質のハウジングに覆われるため、その故障は気づかれにくい。もし電子装置の外部から故障の原因を察知することができれば、無駄な時間浪費は避けられる。
【０００４】
アメリカ合衆国特許第5,808,307号「Electronic case for
reducing electromagnetic radiation」及びアメリカ合衆国特許第6,002,586号「Apparatus for
adjustable mounting a cooling device to a computer enclosure」においてHancock氏等とChen氏等は、放熱のためにコンピューターのハウジングに複数の孔を開ける構造を掲示しているが、その孔は相応する保護装置がないため、ほこりをよけられない。それに複数の孔から入る光線はマザーボードと平行しており、ハウジング内の装置を外部から見ることは困難である。
【発明の開示】
【発明が解決しようとする課題】
【０００５】
この発明は前述の問題を解決するための電子装置を提供することを課題とする。
【課題を解決するための手段】
【０００６】
この発明による電子装置は、第一側板に複数の孔が設けられるハウジングと、複数の孔の一側に設けられる透明防塵材と、ハウジング内とハウジングの第二側板に設けられるマザーボードと、ハウジング内とマザーボードに設けられてプログラムとデータを処理するプロセッサーと、ハウジング内とマザーボードに設けられてプログラムとデータを保存するメモリーとを含む。この発明の特長は、電子装置の内部を外部から見られるほか、ほこりをよけられることにある。この発明の更なる特長は、従来の金属製ハウジングを軽量化することにある。
【発明の効果】
【０００７】
従来の技術と比べ、この発明による電子装置は複数の孔を通して外部から内部を見られ、よって電子装置の故障検査にかかる時間は節約される。なお、複数の孔が開けられるハウジングに透明防塵材が取り付けられ、ほこりをよけられる。
【発明を実施するための最良の形態】
【０００８】
かかる電子装置の特徴を詳述するために、具体的な実施例を挙げ、図示を参照にして以下に説明する。
【実施例１】
【０００９】
図１はこの発明の第１の実施例による電子装置１０の透視図であり、図２は図１における電子装置１０の平面透視図である。電子装置１０はハウジング１２を含み、ハウジング１２はその第一側板２４に複数の孔１５が開けられる。電子装置１０の内部にはマザーボード１４と透明防塵材１６が取り付けられ、マザーボード１４は第二側板２８に設けられ、透明防塵材１６は複数の孔の一側に設けられる。マザーボード１４はプロセッサー１８とメモリー２０を含み、プロセッサー１８はプログラムとデータを処理し、メモリー２０はプログラムとデータを保存する。プロセッサー１８の上方に放熱用のファン２２が設けられる。第一側板２４と第二側板２８は隣り合っていない。図１によれば、透明防塵材１６は複数の孔１５の内側に設けられるが、その外側に設けられても可能である。
【００１０】
電子装置１０は非常に複雑な製品であるため、いずれかの部品が故障したら作動できなくなる恐れがある。電子装置１０の故障にはさまざまな原因があり、ハードウェアの問題かソフトウェアの問題のほか、ファン２２の故障かバスラインの脱落だけでも故障の原因になれる。仮に電子装置１０の作動に問題が起こる場合、第一側板２４の孔１５が第二側板２８にあるマザーボード１４に対応するため、その複数の孔１５を通して電子装置１０の内部は覗かれる。例えば、電子装置１０が作動できなくなる場合、ハウジング１２の孔１５を通して覗けば、電子装置１０内のファン２２或いはバスラインなどの部品の状況は着実に把握できる。ファン２２かバスラインが異常であるからこそ、電子装置１０をオフにしてハウジング１２を取り外し検査を行う必要がある。反対にそうでないと、故障はソフトウェアによるものと判定され、ハウジング１２を取り外す必要はない。更にハウジング１２の側板２４の内側または外側には透明防塵材１６が設けられる。透明防塵材１６はガラスまたはプラスティック材質であり、ハウジングに接着するように複数の孔１５の一側に設けられるほか、ハウジング１２から着脱できるように複数の孔１５の一側に設けられるのも可能である。かくして、電子装置１０のマザーボードにふりかかるほこりはよけられる。
【実施例２】
【００１１】
図３はこの発明の第２の実施例による電子装置４０の正面透視図である。図３における電子装置４０と図１における電子装置１０の同じ番号を付けられるデバイスは同一の名前と機能を有し、ここでその説明を省略する。図３における電子装置４０と図１における電子装置１０との相違点は、電子装置１０のハウジング１２の複数の孔１５が開けられた第一側板２４は、金属網４４の設けられる第一側板４６に取って代わられることにある。マザーボード１４は第二側板４８に設けられ、金属網４４がハウジング４２と接触すると同時に網線も相互に密着して接地回路を形成して電子装置４０の作動によって生じる電磁波を排除する。金属網４４はハウジング４２と接着するようにまたはハウジング４２から着脱できるようにハウジング４２に取り付けられる。透明防塵材１６はハウジング４２と接着するように複数の孔１５の一側に設けられるほか、ハウジング４２から着脱できるように複数の孔１５の一側に設けられ、または複数の孔１５を含むことも可能である。
【実施例３】
【００１２】
図４はこの発明の第３の実施例による電子装置５０の透視図である。図４における電子装置５０と図１における電子装置１０の同じ番号を付けられるデバイスは同一の名前と機能を有し、ここでその説明を省略する。図４における電子装置５０と図１における電子装置１０との相違点は、透明防塵材５４が複数の孔５５に充填されることにある。電子装置５０はハウジング５２を含み、マザーボード１４は第二側板５８に設けられ、ハウジング５２の第一側板５６に複数の孔５５が開けられる。透明防塵材５４はガラスまたはプラスティック材質であり、ハウジング５２と接着するように複数の孔５５に充填されるほか、ハウジング５２から着脱できるように複数の孔５５に充填されるのも可能である。
【実施例４】
【００１３】
図５はこの発明の第４の実施例による電子装置６０の透視図である。図３と図４との相違点は、図５における電子装置６０は図３における側板４６と図４における側板５６を合わせたものであることにある。すなわち、この実施例によるハウジング６２の前述と異なるところに複数の孔が開けられる側板を設け、金属網４４のある側板４６と複数の孔が開けられる側板５６は自由に取り付けることができる。
【００１４】
図６は図３における電子装置４０の金属網４４付きと金属網なしの場合の電磁遮蔽効果を表わす対照表であり、図７は図６の曲線図である。そのうち図７の横軸と縦軸はそれぞれ周波数と電磁波強度を表わす。図６と図７によれば、金属網４４付きの場合、２５０ＭＨｚ以下の周波数においての電磁波強度は３５ｄｂを下回り、２５０ＭＨｚ〜１０００ＭＨｚにおいての電磁波強度は４２ｄｂを下回る。金属網４４付きの電子装置４０は電磁妨害に対して工業規格に符合する電磁遮蔽効果がある。
【産業上の利用可能性】
【００１５】
この発明によるハウジングは電子装置のみならず、その他の関連電子製品にも応用できる。例えばパーソナルデジタルアシスタント（ＰＤＡ）、サーバー、携帯電話などのハウジングもこの発明の範囲に属する。
【００１６】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００１７】
【図１】この発明の第１の実施例による電子装置の透視図である。
【図２】図１における電子装置の平面透視図である。
【図３】この発明の第２の実施例による電子装置の正面透視図である。
【図４】この発明の第３の実施例による電子装置の透視図である。
【図５】この発明の第４の実施例による電子装置の透視図である。
【図６】図３における電子装置の金属網付きと金属網なしの場合の電磁遮蔽効果を表わす対照表である。
【図７】図６の曲線図である。
【符号の説明】
【００１８】
１０、４０、５０、６０            電子装置
１２、５２、６２                  ハウジング
１４                              マザーボード
１４、４５、５５                  孔
１６、５４                        透明防塵材
１８                              プロセッサー
２０                              メモリー
２２                              ファン
２４、４６、５６                  第一側板
２８、４８、５８                  第二側板
４２                              金属網
【図１】
2005079451.tif 000003
【図２】
2005079451.tif 000004
【図３】
2005079451.tif 000005
【図４】
2005079451.tif 000006
【図５】
2005079451.tif 000007
【図６】
2005079451.tif 000008
【図７】
2005079451.tif 000009